(57)【要約】      （修正有）【課題】漁獲対象魚種である魚の習性を利用することで魚を集めて漁獲を行うことを可能とした集魚網及びそれを使用した漁業支援システムを提供する。【解決手段】海面から所定の深さに浮遊させ、漁獲目的の魚を集魚させる集魚網１００であって、流体を注入することで膨張し、流体を吐出させることで収縮する中空部材で成形される枠体と、該枠体内部に複数の区画を有し、該区画に網が配置された網部と、前記枠体を一定の深さに浮遊させるために、前記枠体の周囲に連結される複数の浮き体３００と、前記枠体の端部に連設され、前記枠体を成形する前記中空部材に流体を注入または吐出するためのホースと、該ホースに連結したブイ２００と、から構成されていることを特徴とする。【選択図】図１
2019041655.tif 000002
【特許請求の範囲】
【請求項１】
漁獲対象の魚を集魚させる集魚網であって、
前記集魚網の外形を形成する枠体と、
該枠体内部に複数の区画を形成するための複数の仕切り部と、
該仕切り部によって形成された区画に網が配置された網部と、
前記枠体の端部に連設され、前記枠体及び前記仕切り部の内部に流体を注入または吐出するためのホースと、
該ホースに繋がれたブイと、
前記集魚網を海面から所定の深さに浮遊させるための複数の浮きとから構成されていることを特徴とする集魚網。
【請求項２】
前記枠体は、略紡錘形状もしくは略棒形状であることを特徴とする請求項１記載の集魚網。
【請求項３】
前記複数の仕切り部は、それぞれ前記枠体の長手方向に対して３０°〜５０°の傾きで配置されていることを特徴とする請求項１記載の集魚網。
【請求項４】
前記網部には、平板状で形成される擬似海藻が複数取り付けられていることを特徴とする請求項１記載の集魚網。
【請求項５】
前記ブイは、ＧＰＳ受信機に接続されたＧＰＳアンテナと、衛星送信機に接続された衛星アンテナと、ＬＥＤ発光部と、カメラと、ソナーとを有していることを特徴とする請求項１記載の集魚網。
【請求項６】
前記枠体と前記仕切り部とは連通しており、中空部材で成形されていることを特徴とする請求項１から３のいずれか１項に記載の集魚網。
【請求項７】
前記中空部材は、前記枠体の外形を形成する外側部材と、該外側部材の内部に同心に配置される内側部材とから構成されていることを特徴とする請求項６記載の集魚網。
【請求項８】
前記外側部材は、非弾性の材料で形成され、前記内側部材は、流体の注入による圧力によって伸長及び膨張する弾性を有する材料で形成されていることを特徴とする請求項７記載の集魚網。
【請求項９】
前記枠体及び前記仕切り部は、流体の注入によって長手方向及び幅方向へ膨張し、流体の吐出によって前記仕切り部の傾きが小さくなるようにして前記枠体の一側端に重なるように収縮することを特徴とする請求項１から３のいずれか１項に記載の集魚網。
【請求項１０】
流体（海水）の注入によって伸長及び膨張する集魚網と、
該集魚網に接続され、前記集魚網の周辺に集まる魚群の探知及び画像を撮影し、前記集魚網の位置情報を送信するためのブイと、を用いて漁獲目的の魚を集魚及び漁獲する集魚網を使用した漁業支援システムであって、
漁船から海上へ複数の集魚網を放出し、
複数の該集魚網のそれぞれに流体を注入して伸長及び膨張させ、
前記ブイによって前記集魚網の周辺に集まる魚群を探知及び画像を撮影し、魚群情報及び撮影情報を前記集魚網の位置情報とともに前記漁船へ送信し、
前記集魚網に到着した漁船によって、前記集魚網に集まる魚を漁獲することを特徴とする集魚網を使用した漁業支援システム。
【請求項１１】
前記集魚網は、注入された流体を吐出することで収縮し、前記漁船によって回収可能になることを特徴とする請求項１０記載の集魚網を使用した漁業支援システム。
【発明の詳細な説明】
【技術分野】
【０００１】
本発明は、魚を集魚するための集魚網及びこれを使用した漁業支援システムであって、特に、魚の習性を利用して、魚を集魚する集魚網及びこれを使用した漁業支援システムである。
【背景技術】
【０００２】
従来、太平洋や大西洋などの外洋におけるマグロやカツオなどの回遊魚を漁獲する場合、海水温や潮の流れを見極め、魚群探知機などを利用しながら漁獲対象魚種が回遊する海域の探索を行っている。魚群探知機による測定結果により、漁獲対象魚種の魚群が存在しない場合には、再度、魚群の探索を行うといったことが繰り返される。
【０００３】
このため、広い洋上で漁獲対象魚種の魚群を確実に探索するためには、多数回の移動及び探索を行うか、多数の漁船による船団規模での操業が必要となり、コストが多大となり乗組員への負担が問題となっている。
【０００４】
このような問題から、特許文献１に記載の発明では、無人航空機を利用した漁業支援システムが開示されている。
特許文献１に記載の発明によれば、無人航空機に搭載したカメラによって海水面を動画撮影し、取得した動画画像データから魚群を検出し、魚群の位置情報を漁船へ送信することで、効率よく魚群を発見することができる漁業支援システムが開示されている。
【先行技術文献】
【特許文献】
【０００５】
【特許文献１】特開２０１７−１０４０２５号公報
【発明の概要】
【発明が解決しようとする課題】
【０００６】
しかしながら、特許文献１に記載の発明は、無人航空機を飛行させる際の天候の状況は考慮されておらず、例えば、海上における風の強さによっては無人航空機を飛ばすことはできず魚群を発見することが困難となる。
【０００７】
本発明は係る問題に鑑みてなされたものであり、漁獲対象魚種である魚の習性を利用することで魚を集めて漁獲を行うことを可能とした集魚網及びそれを使用した漁業支援システムを提供することを目的とする。
【課題を解決するための手段】
【０００８】
上記目的を達成するために本発明の集魚網は、漁獲対象の魚を集魚させる集魚網であって、前記集魚網の外形を形成する枠体と、該枠体内部に複数の区画を形成するための複数の仕切り部と、該仕切り部によって形成された区画に網が配置された網部と、前記枠体の端部に連設され、前記枠体及び前記仕切り部の内部に流体を注入または吐出するためのホースと、該ホースに繋がれたブイと、前記集魚網を海面から所定の深さに浮遊させるための複数の浮きとから構成されていることを特徴とする。
【０００９】
また、前記枠体は、略紡錘形状もしくは略棒形状であることを特徴とする。
【００１０】
また、前記複数の仕切り部は、それぞれ前記枠体の長手方向に対して３０°〜５０°の傾きで配置されていることを特徴とする。
【００１１】
また、前記網部には、平板状で形成される擬似海藻が複数取り付けられていることを特徴とする。
【００１２】
また、前記ブイは、ＧＰＳ受信機に接続されたＧＰＳアンテナと、衛星送信機に接続された衛星アンテナと、ＬＥＤ発光部と、カメラと、ソナーとを有していることを特徴とする。
【００１３】
また、前記枠体と前記仕切り部とは連設しており、中空部材で成形されていることを特徴とする。
【００１４】
また、前記中空部材は、前記枠体の外形を形成する外側部材と、該外側部材の内部に同心に配置される内側部材とから構成されていることを特徴とする。
【００１５】
また、前記外側部材は、非弾性の材料で形成され、前記内側部材は、流体の注入による圧力によって伸長及び膨張する弾性を有する材料で形成されていることを特徴とする。
【００１６】
また、前記枠体及び前記仕切り部は、流体の注入によって長手方向及び幅方向へ膨張し、流体の吐出によって前記仕切り部の傾きが小さくなるようにして前記枠体の一側端に重なるように収縮することを特徴とする。
【００１７】
また、本発明の漁業システムは、流体（海水）の注入によって伸長及び膨張する集魚網と、該集魚網に接続され、前記集魚網の周辺に集まる魚群の探知及び画像を撮影し、前記集魚網の位置情報を送信するためのブイと、を用いて漁獲目的の魚を集魚及び漁獲する集魚網を使用した漁業支援システムであって、漁船から海上へ複数の集魚網を放出し、複数の該集魚網のそれぞれに流体を注入して伸長及び膨張させ、前記ブイによって前記集魚網の周辺に集まる魚群を探知及び画像を撮影し、魚群情報及び撮影情報を前記集魚網の位置情報とともに前記漁船へ送信し、前記集魚網に到着した漁船によって、前記集魚網に集まる魚を漁獲することを特徴とする。
【００１８】
さらに、前記集魚網は、注入された流体を吐出することで収縮し、前記漁船によって回収可能になることを特徴とする。
【発明の効果】
【００１９】
本発明によれば、洋上に海面から所定の深さに浮遊する水生動物（クジラやジンベイザメなど）や流木の外形に似せた集魚網を複数設置することで、水生動物（クジラやジンベイザメなど）や流木に集まる習性のある回遊魚を集めることができ、ブイに搭載されているソナーやカメラによって、集魚網に集まっているかを確認し、一番多く魚が集まっている集魚網に漁船で急行することにより、漁獲対象の魚を漁獲することでき、漁業の省力化並びに効率化を図ることができる。
【００２０】
また、集魚網を構成する枠体及び仕切り部に流体を注入することで膨張し、流体を吐出させることで収縮することにより、コンパクトなサイズになり漁船に収納しやすくなる。
【図面の簡単な説明】
【００２１】
【図１】集魚網を示す概略図である。
【図２】集魚網の構成を示す上面図である。
【図３】図３（ａ）は、図１に示すＡＡ断面を示した断面図であり、図３（ｂ）は、枠体と網部の接着部分を示した図である。
【図４】集魚網へ流体を注入または放出するためのポンプを示した図である。
【図５】ブイの構成を示した図である。
【図６】ブイの構成を示した図である。
【図７】図７（ａ）〜（ｃ）は、集魚網を利用した漁業支援システムを示した図である。
【図８】図８（ａ）〜（ｂ）は、集魚網を利用した漁業支援システムを示した図である。
【図９】図９（ａ）〜（ｃ）は、集魚網が収縮する状態を示した図である。
【発明を実施するための最良の形態】
【００２２】
次に、図面を参照して、本実施形態に係る集魚網及びこれを使用した漁業支援システムについて説明する。
図１は、集魚網を示す概略図であり、図２は、集魚網の構成を示す上面図であり、図３（ａ）は、図１に示すＡＡ断面を示した断面図であり、図３（ｂ）は、枠体と網部の接着部分を示した図である。
図１に示すように、漁船１から海上へ放出される集魚網１００は、ブイ２００にロープ２０１を介して係留されており、集魚網１００を水生動物が遊泳する深さと同じ程度の深さ（例えば３〜５ｍ）に浮遊するように複数の浮き３００がロープ３０１を介して連結している。集魚網１００を海面上に浮遊させると、風や波の影響を受け、ひっくり返ったり、ねじれたりすることがあるため、これを防止するためにも所定の深さに浮遊させる。
【００２３】
集魚網１００は、図２に示すように大型の水生動物であるクジラやジンベイザメの体型に似せた略紡錘形状であって、集魚網１００の外形を形成する枠体１０１と、枠体１０１０の内部に複数の区画を形成するための仕切り部１０２と、仕切り部１０２によって形成された区画に網が配置された網部１０３とから構成されている。この網部１０３には、後述する複数の擬似海藻１０３ａが取り付けられている。なお、集魚網１００の形状は、例えば流木のような略棒形状でもよい。
【００２４】
枠体１０１と仕切り部１０２とは連通して一体化しており、枠体１０１及び仕切り部１０２は、伸縮式の中空部材によって成形されており、中空部材の内部に流体（以下、海水とする）を注入すると、海水の圧力によって自動的に長手方向及び幅方向に膨張し、一方、海水を放出すると海水の圧力から解放され自動的に収縮する。
【００２５】
仕切り部１０２は、集魚網１００の長手方向に対して角度αに傾くようにして枠体１０１内に形成されている。角度αは、例えば３０°〜５０°の範囲である。また、図中では、３つの仕切り部１０２によって枠体１０１内に区画が形成されているが、集魚網１００の大きさによって仕切り部１０２の数を変更することが可能である。
【００２６】
複数の仕切り部１０２は、それぞれ集魚網１００が収縮した際に角度αが小さくなるようにして枠体１０１の一側端に重なるようになる。そのため、集魚網１００が収縮した際、枠体１０１に対して複数の仕切り部１０２も略一直線になるため、仕切り部１０２同士が重ならずにコンパクトなサイズになるため回収が容易であり、また余計な厚みにならないので保管場所をとることもない。
【００２７】
枠体１０１は、上記した水生動物の大きさに合わせて、膨張させたときの全長は約１０ｍ〜３０ｍの大きさであり、収縮させたときの全長は約５〜１５ｍの大きさとなる。
【００２８】
枠体１０１の一端には、枠体１０１及び仕切り部１０２内に海水を注入または吸取りするためのホース１０３が連設し、このホース１０３の端部にはバルブ１０４が設けられている。
【００２９】
枠体１０１を成形する中空部材は、図３（ａ）に示すように、枠体１０１本体の外形を形成する外側部材１０１ａと、外側部材１０１ａの内部に同心に配設され、海水が注入される内側部材１０１ｂとから構成されている。
【００３０】
外側部材１０１ａは、消防用のホースのように通水時の加圧によって伸長して直線を形成するような仕組みを有するものであり、非弾性で比較的柔らかく曲げることが可能な材料で形成され、例えば、綿やナイロン、ポリエステル、またはポリプロピレン等の合成繊維を織成されたものから構成されている。
【００３１】
内側部材１０１ｂは、天然ゴムや合成ゴムなどの材料で形成され、海水が注入されると弛緩状態または非伸長状態の長さから最大で３〜６倍程度まで伸長し、また、自身の長さに対して半径方向外側又は側方に膨張する。
なお、枠体１０１に連通している仕切り部１０２の構成も上記した枠体１０１と同様の構成であるため、説明は省略する。
【００３２】
そして、網部１０３には、複数の擬似海藻１０３ａが取り付けられている。擬似海藻１０３ａは、ビニール状の平板形状で形成されており、網部１０３に括り付けられている。複数の擬似海藻１０３ａを網部１０３に取り付けることにより、集まってきた魚の隠れ場所になるため、集魚網１００から魚が離れることを防止することができる。
【００３３】
また、図３（ｂ）に示すように網部１０３は、枠体１０１に接着している平板部材１０３ｂを介して枠体１０１に取り付けられている。平板部材１０３ｂは、布状または合成繊維で形成されおり、一端に形成された孔１０３ｃに網部１０３の一部を挿通させることで枠体１０１に網部１０３を固定する。
【００３４】
図４は、集魚網を構成する枠体及び仕切り部に海水を注入または汲取りするためのポンプシステムを示した図である。
図示するように、ポンプシステム４００は漁船１に設置されており、海水を集魚網１００を構成する枠体１０１及び仕切り部１０２に注入または吸い取りするためのものである。
ポンプシステム４００は、ポンプ４０１と、ポンプ４０１に接続されているホース４０２と、ホース４０２の各所に汲み上げバルブ４０３、注入バルブ４０４、吸取りバルブ４０５が取り付けられている。
【００３５】
汲み上げバルブ４０３は、海水を汲み上げる際に開けるバルブであり、注入バルブ４０４は、枠体１０１及び仕切り部１０２に海水を注入する際に開けるバルブであり、吸取りバルブ４０４は、枠体１０１及び仕切り部１０２内の注入されている海水を吸い取る際に開けるバルブである。
【００３６】
次に、集魚網１００への海水の注入または吸取りについて説明する。
・海水の注入について
まず、海上へ放流させる集魚網１００に設けられているバルブ１０４をポンプシステム４００の注入バルブ４０３に接続させる。
次に、汲み上げバルブ４０３及び注入バルブ４０４を解放しポンプ４０１を作動させる。この時、吸取りバルブ４０５は閉めておく。ポンプ４０１の作動によって、汲み上げバルブ４０３及び注入バルブ４０４を介して集魚網１００へ海水を注入する。これにより、枠体１０１及び仕切り部１０２が注入される海水の圧力によって自動的に膨張し、集魚網１００全体を形成する。
【００３７】
・流体の放出について
海上に放出した集魚網１００を漁船１で回収する場合、集魚網１００に設けられているバルブ１０５を吸取りバルブ４０５に接続させる。
次に、吸取りバルブ４０５及び注入バルブ４０４を解放し、ポンプ４０１を作動させる。この時、汲み上げバルブ４０３は閉めておく。
ポンプ４０１の作動によって、吸取りバルブから集魚網１００内の海水を吸取り、注入バルブ４０４から逆に海水を放出させることで、集魚網１００内の海水を吸取り、集魚網１００を自動的に収縮させる。
【００３８】
図５及び図６は、ブイの構成を示した図である。
ブイ２００本体は、上部ポール２０１と、フロート２０２と、フロート２０２の上部及び下部に取り付けられた上部ダンパ２０３及び下部ダンパ２０４と、カメラ２０５とから構成されている。
上部ポール２０１は、フロート２０２の中心に取り付けられており、先端にＬＥＤ発光部２０６と、内部にＧＰＳアンテナ２０７、衛星アンテナ２０８を搭載している。
【００３９】
フロート２０２は、圧延鋼材、ステンレス、アルミニウム、アルミニウム合金等の金属から構成されており、内部に浮力体としての発泡スチロールが充填して密封されている。また、フロート２０２は、繊維強化プラスチック（ＦＲＰ）等の合成樹脂により形成することも可能であり、内部に充填する浮力体として、ウレタン発泡樹脂等を使用してもよい。
【００４０】
上部ダンパ２０３はリング状であって、フロート２０２の上部付近に取り付けられ、ブイ２００本体の海上での浮遊のバランスを保つために取り付けられている。下部ダンパ２０４は、ブイ２００本体を地上で支持するため及びカメラ２０５を保護するためのものである。下部ダンパ２０４は、フロート２０２から下方へ延びる脚部２０４ａと、脚部２０４ａ端部に連設したリング２０４ｂで構成されている。
【００４１】
また、下部ダンパ２００を構成する脚部２０４ａの一部には、集魚網１００を係留するための係留金具２０４ｃが取り付けられている。
【００４２】
フロート２０２は内部にＧＰＳ受信機２０９と、衛星送信機２１０と、制御部２１１と、バッテリー２１２と、記憶部２１３と、カメラ２０５と、ソナー２１５とを搭載している。
【００４３】
ＧＰＳアンテナ２０７はＧＰＳ受信機２０９に接続されており、ブイ２００本体の位置を計測するためのＧＰＳ信号を受信する。衛星送信機２１０は、衛星アンテナ２０８と接続しており、ブイ２００本体の位置情報やカメラ２０５で撮影した映像、ソナー２１５で探知した魚群情報を船体１へ送信する。
【００４４】
記憶部２１３は、ブイ２００本体の位置情報やカメラ２０５で撮影した映像、ソナー２１５で探知した魚群情報を記憶する。カメラ２０５は、集魚網１００の下面付近の映像を撮影する。ソナー２１５は、集魚網１００の下面付近に集まる魚群を探知することができる。なお、ソナー２１５によって魚群を探知した場合のみ、カメラ２１４でその状態を撮影するようにしてもよい。
【００４５】
制御部２１１は、これら各部を制御するとともに、接続されているバッテリー２１２からの電力を供給する。
【００４６】
次に、集魚網を利用した漁業支援システムについて説明する。
図７（ａ）〜（ｃ）及び図８（ａ）〜（ｂ）は、集魚網を利用した漁業支援システムを示した図であり、図９（ａ）〜（ｃ）は、集魚網が収縮する状態を示した図である。
なお、本実施形態においては、回遊魚の一つであり漁獲目的の魚種であるカツオを例として説明するが、他の回遊魚であっても本発明の方法を採用して漁獲することは可能である。
【００４７】
図７（ａ）に示すように、まず、漁船１から集魚網１００を海上へ放流し、ポンプシステム４００を作動させて海水を枠体１０１及び仕切り部１０２内に注入させ、海水の水圧によって膨張させる。
なお、数百ｍ〜数ｋｍの間隔をあけて複数の集魚網１００が海上へ放出される。
【００４８】
次に、図７（ｂ）に示すように、集魚網１００の真下および周辺には比較的に小型の回遊魚であるイワシ等が群れで集まってくる。この集まってきたイワシ等は、集魚網１００の網部１０３に括り付けられている擬似海藻１０３ａに隠れたりしながら集魚網１００の真下及び周辺を回遊する。
【００４９】
次に、図７（ｃ）に示すように、集魚網１００の真下及び周辺に回遊するイワシ等を餌とするカツオが集まってくる。また、カツオ自体もクジラやジンベイザメのような水生動物や流木に付いて群れで回遊する習性を持っていることから、水生動物の体型に似せた集魚網１００に集まってくる。
【００５０】
ブイ２００に搭載されているソナー２１５が、集魚網１００に集まるカツオを探知すると、衛星アンテナ２０８を介して漁船１へ魚群情報を送信する。漁船１では、魚群情報を受信すると、随時、送信されてくるカメラ２０５からの撮影映像でカツオの群れを確認し、
また、ブイ２００に搭載されているＧＰＳ受信機２０９によって受信した位置情報を確認して、漁船１で集魚網１００の位置まで移動する。
【００５１】
そして、図８（ａ）に示すように、漁船１が集魚網１００の位置まで来ると、一本釣りでカツオを釣り上げる。そして、カツオの漁獲が終わると図８（ｂ）に示すように、集魚網１００を回収する。
【００５２】
漁船１に集魚網１００を回収するには、上記したように、ポンプシステム４００の吸取りバルブ４０５に集魚網１００に連設されているバルブ１０５を接続し、ポンプ４０１を作動させて集魚網１００の枠体１０１及び仕切り部１０２に注入されていた海水を吸取り、集魚網１００を収縮させる。
【００５３】
集魚網１００は、ポンプシステム４００によって海水を吸取られると、図９（ａ）〜（ｃ）に示すようにして収縮する。
まず、図９（ａ）に示すように、ポンプシステム４００によって集魚網１００の枠体１０１及び仕切り部１０２から海水が吸取られると、集魚網１００全体の収縮が始まる。そして、網部１０３の幅が狭くなるにつれて複数の仕切り部１０２のそれぞれの端部が矢印方向に移動し始める。つまり、仕切り部１０２の角度αが徐々に小さくなるようになる。
【００５４】
次に、図９（ｂ）に示すように、枠体１０１及び仕切り部１０２から海水が吸取られていくうちに、集魚網１００の長さが短くなり、幅が狭くなる。そして、さらに、仕切り部１０２の端部が矢印方向へ移動する。
【００５５】
さらに、図９（ｃ）に示すように、枠体１０１及び仕切り部１０２から、さらに海水が吸取られると集魚網１００は細長い形状となり、また、網部１０３部分の幅が狭くなることで仕切り部１０２が枠体１０１の一側端に重なるような位置まで移動する。
【００５６】
このようにして収縮した集魚網１００は、枠体１０１に対して仕切り部１０２が略一直線になるような形状に変形することで複数の仕切り部１０２が重ならず、コンパクトなサイズになることで巻き取り時にも余計な厚みにならずに済む。
そして、図８（ｂ）に戻り、収縮した集魚網１００を、漁船１に設置されている収納ドラム３００によって巻き上げ、漁船１内に収納する。
【００５７】
さらに、予定の漁獲量を得ることができたら、他の場所に放出してある集魚網１００の位置をブイ２００に搭載されているＧＰＳ受信機２０９が受信した位置情報で確認しながら、順次、集魚網１００を回収し、全ての集魚網１００を回収し終えたのち帰路につく。
【００５８】
本実施形態によれば、海上に複数の集魚網を放流することで、流木や大きい水生動物と一緒に回遊する習性を持つ魚が、流木や大きい水生動物と同程度の大きさである集魚網に集まる。集魚網に集まった魚をソナーで探知し、カメラによる撮影映像によって一番集魚している集魚網の位置まで漁船で急行し、魚を漁獲する。
【００５９】
このように、広い洋上で漁獲目的の魚の群れを探すのは時間及びコストがかかる問題があるが、複数の集魚網を洋上に放流させることで、集魚網の位置に漁獲目的の魚を集魚させ、漁獲することができるため、航海自体の時間短縮及びかかるコストを削減させることが可能となる。
【符号の説明】
【００６０】
１００    集魚網
１０１    枠体
１０２    網部
１０３    ホース
１０４    コック
２００    ブイ
３００    浮き
【図１】
2019041655.tif 000003
【図２】
2019041655.tif 000004
【図３】
2019041655.tif 000005
【図４】
2019041655.tif 000006
【図５】
2019041655.tif 000007
【図６】
2019041655.tif 000008
【図７】
2019041655.tif 000009
【図８】
2019041655.tif 000010
【図９】
2019041655.tif 000011